(57)【要約】【課題】加熱調理器における受皿の摺動性を向上させ、受皿を出し入れする際にガタガタする、滑りが悪い等の違和感の無い加熱調理器を提供すること。【解決手段】開口部１１を本体前面に形成した加熱調理を行うための調理庫１０と、前記開口部１１から出し入れ自在に収納された受皿１２を有し、前記調理庫１０内面の一部に、前記受皿１２が摺動する際に受皿１２表面に当接するとともに受皿１２表面に対する摩擦係数が前記調理庫１０内面よりも小さいスペーサー１６を設け、前記スペーサー１６近傍にスペーサー１６の高さよりも低い突起部１５を配したことにより、受皿１２との摩擦が軽減され受皿１２の摺動性が向上し、しかも長期の使用によってスペーサー１６が磨耗してしまった場合でも油のなじんだ突起部１５で受皿１２を支持することにより受皿１２の摺動性が損なわれない。【選択図】図３
2005164187.tif 000002
【特許請求の範囲】
【請求項１】
外郭を形成する本体の内部に設置するとともに、開口部を前記本体前面に形成した加熱調理を行うための調理庫と、前記調理庫に前記開口部から出し入れ自在に収納された受皿を有し、前記調理庫内面の一部に、前記受皿が摺動する際に受皿表面に当接するとともに受皿表面に対する摩擦係数が前記調理庫内面よりも小さいスペーサーを設け、前記スペーサー近傍の調理庫内面にスペーサーの高さよりも低い突起部を配した加熱調理器。
【請求項２】
スペーサーは調理庫底面の開口部近傍に設け、突起部は前記開口部方向に向かって高くなる傾斜面を有するとともに前記スペーサーの開口部側とは反対側に位置する請求項１に記載の加熱調理器。
【請求項３】
スペーサーは受皿との当接部近傍を頂点とする略円弧断面形状を受皿の摺動方向に有する請求項１または２に記載の加熱調理器。
【請求項４】
スペーサーはフッ素樹脂で構成した請求項１〜３のいずれか１項に記載の加熱調理器。
【請求項５】
スペーサー材料のフッ素樹脂にグラファイトを充填した請求項４に記載の加熱調理器。
【発明の詳細な説明】
【技術分野】
【０００１】
本発明は、一般家庭等で使用する加熱調理器に関するものである。
【背景技術】
【０００２】
一般にこの種の加熱調理器は、調理庫内面がステンレス生地のもの、ホーロー加工したものやフッ素加工したものが多い。加熱調理をする際に受皿の出し入れを行うが、調理庫内面がステンレス生地のものやホーロー加工したものにおいては、調理中に発生する油が調理庫内面になじむまでは、受皿表面に対する摩擦が大きく、ガタガタする、滑りが悪い等の違和感があった。一方、フッ素加工したものにおいては、摩擦が小さいため調理中に発生する油が調理庫内面になじまなくても受皿の滑りが良いが、フッ素自身が軟質材料であるため磨耗すると表面に傷が入りやすく、調理庫を形成する鉄板材料の腐食の原因となっていた。
【０００３】
上記のような傷付きを解決するため、従来の加熱調理器には受皿に当接する調理庫内面の一部に溶融点が高く、且つ、耐磨耗性の高い物質からなるスペーサーを設けたものがある（例えば、特許文献１参照）。
【０００４】
前記従来の加熱調理器は、調理庫内にフッ素加工を施したものであっても、受皿が調理庫の底面を摺動し調理庫から取り出すとき、溶融点が高く耐磨耗性の高い物質、例えばステンレス等からなるスペーサーを設けているので、調理庫内面を傷つけることを防ぎ腐食を防止することができるものであった。
【特許文献１】特許第２９５３８７１号公報
【発明の開示】
【発明が解決しようとする課題】
【０００５】
しかしながら、前記従来の加熱調理器は、受皿に当接する部分を溶融点が高く耐磨耗性の高い物質からなるスペーサーで構成しており、受皿に対する摩擦係数が大きいものをスペーサー材料として使用すれば、調理庫内面がフッ素加工されていても、受皿の摺動性は悪くなるものであった。また、スペーサーを設けたことにより、受皿を引き出す際に受皿の底面端部がスペーサーに乗り上げるときに衝撃があるものであった。
【０００６】
本発明は、上記従来の課題を解決するもので、加熱調理器における受皿の摺動性を向上させ、受皿を出し入れする際にガタガタする、滑りが悪い等の違和感の無い加熱調理器を提供することを目的としている。
【課題を解決するための手段】
【０００７】
前記従来の課題を解決するために、本発明の加熱調理器は、調理庫内面の一部に、受皿が摺動する際に受皿表面に当接するとともに前記受皿表面に対する摩擦係数が前記調理庫内面よりも小さいスペーサーを設け、スペーサー近傍の調理庫内面にスペーサーの高さよりも低い突起部を配したものである。
【０００８】
このスペーサーにより受皿との摩擦が軽減され受皿の摺動性が向上し、しかもスペーサーの高さよりも低い突起部をスペーサー近傍に配置することにより、長期の使用によってスペーサーが磨耗してしまった場合でも、それまでに油のなじんだ突起部で受皿を支持することができるため、受皿の摺動性が損なわれないものである。
【発明の効果】
【０００９】
本発明の加熱調理器は、加熱調理器における受皿の摺動性を向上させ、受皿を出し入れする際にガタガタする、滑りが悪い等の違和感の無い加熱調理器を提供することができるものである。
【発明を実施するための最良の形態】
【００１０】
第１の発明は、外郭を形成する本体の内部に設置するとともに、開口部を前記本体前面に形成した加熱調理を行うための調理庫と、前記調理庫に前記開口部から出し入れ自在に収納された受皿を有し、前記調理庫内面の一部に、前記受皿が摺動する際に受皿表面に当接するとともに前記受皿表面に対する摩擦係数が前記調理庫内面よりも小さいスペーサーを設け、前記スペーサー近傍の調理庫内面にスペーサーの高さよりも低い突起部を配したことにより、受皿との摩擦が軽減され受皿の摺動性が向上し、受皿を出し入れする際にガタガタする、滑りが悪い等の違和感の無くすことができ、しかも長期の使用によってスペーサーが磨耗してしまった場合でも、それまでに油のなじんだ突起部で受皿を支持することにより、受皿の摺動性が損なわれない加熱調理器を提供することができるものである。
【００１１】
第２の発明は、特に第１の発明のスペーサーを調理庫底面の開口部近傍に設け、突起部は前記開口部方向に向かって高くなる傾斜面を有するとともに前記スペーサーの開口部側とは反対側に位置する構成としたことにより、収納された受皿を引き出す際に受皿の底面端部がスペーサーに乗り上げる瞬間の衝撃を突起部に形成された傾斜面で緩和することができるため、受皿を引き出す瞬間の摺動性を向上させることができ、一層受皿の滑りのよい加熱調理器を提供することができるものである。
【００１２】
第３の発明は、特に第１または第２の発明のスペーサーを受皿との当接部近傍を頂点とする略円弧断面形状を受皿の摺動方向に有する構成としたことにより、収納された受皿を引き出す際に受皿の底面端部がスペーサーに乗り上げる瞬間の衝撃を、略円弧形状のスペーサー表面で緩和することができるため、受皿を引き出す瞬間の摺動性を一層向上させることができ、更に受皿の滑りのよい加熱調理器を提供することができるものである。
【００１３】
第４の発明は、特に第１〜第３の発明のスペーサーをフッ素樹脂で構成したことにより、スペーサー表面の受皿に対する摩擦係数が大幅に低減し、受皿の摺動性を一層向上させることができるものである。
【００１４】
第５の発明は、特に第４の発明のスペーサー材料をフッ素樹脂にグラファイトを充填したものとすることにより、スペーサー自体の耐磨耗性が向上し、長期間使用しても受皿の摺動性を十分に保つことのできる加熱調理器を提供することができるものである。
【００１５】
以下、本発明の実施の形態について、図面を参照しながら説明する。なお、この実施の形態によって本発明が限定されるものではない。
【００１６】
（実施の形態）
図１は本発明の実施の形態における加熱調理器の外観図を示すものである。
【００１７】
外郭を形成する本体１の上部には、内部に誘導加熱コイルを有し上面をセラミックプレート２で形成したトップヒーター部３が設けられており、このトップヒーター部３の前部には、液晶タイプの表示部４や操作スイッチ５を具備する操作部６が設けられている。前記本体１内部の左半分は魚や肉などを焼いて調理するためのロースター部７で構成されており、右半分は多くの電子部品を備えた回路基盤や、外部の空気を本体１内に送り、誘導加熱コイルや電子部品等を冷却するための送風装置等を具備する回路部８で構成されている。回路部８の前面には加熱調理器のメイン電源をＯＮ・ＯＦＦするための電源スイッチ９が設けられている。
【００１８】
図２は本発明の実施の形態における加熱調理器のロースター部を形成する調理庫の斜視図である。
【００１９】
この調理庫１０は鉄板などの板材を板金加工したものの表面にホーロー加工を施した構成となっている。また、前面には開口部１１を有しており、調理物の肉汁等を受けるための受皿１２はこの開口部１１から出し入れできる様になっている。前記開口部１１から挿入された受皿は、絞り加工で形成されたサイドレール１３に導かれて調理庫１０内に収容される。調理庫１０底面には同じく絞り加工で形成されたアンダーレール１４および突起部１５が設けられており、前記突起部１５の前部（開口部１１側）にはグラファイトが１５％充填されたフッ素樹脂からなるスペーサー１６がはめ込まれている。
【００２０】
図３は本発明の実施の形態における加熱調理器のロースター部の縦断面図であり、図１のＡ−Ａ断面を示すものである。なお、受皿１２は出し入れ途中状態における位置関係となっている。
【００２１】
スペーサー１６は開口部１１近傍に位置しており、突起部１５はその後方に位置する。また突起部１５の更に後方にアンダーレール１４が位置している。また、突起部１５は開口部１１方向に向かって高くなる傾斜面１７を有している。突起部１５の頂点高さは、スペーサー１６の頂点高さよりも低い位置にありアンダーレール１４よりも高い位置にある。受皿１２摺動方向におけるスペーサーの断面形状は、受皿１２との当接部１８近傍を頂点とする略円弧形状となっている。
【００２２】
図４は本発明の実施の形態における加熱調理器のロースター部の縦断面図であり、図１のＡ−Ａ断面を示すものである。なお、受皿１２は収納状態における位置関係となっている。
【００２３】
受皿１２は収納された状態では、アンダーレール１４上に乗った状態となる。このとき、受皿１２の底面端部１９は突起部１５よりも後方に位置しているため、受皿１２は突起部１５やスペーサー１６に乗り上げた状態になっていない。また、受皿１２はドア支持金具２０によりロースタードア２１に接続されており、ロースタードア２１に設けた取っ手２２を引いたり押したりすることにより、受皿１２を出し入れできる。
【００２４】
以上のように構成された加熱調理器について、以下その動作、作用を説明する。
【００２５】
加熱調理器の実用上の設置高さは、置台によって決定されるがその設置高さは人間のほぼ腰の位置程度である。この状態において、使用者が調理を行うために調理物を入れる時や、調理途中で調理物の出来上がり状態を確認するときは、図４に示す取っ手２２を引いて受皿１２を調理庫１０内から引き出し、その後取っ手２１を押して受皿１２を調理庫１０内に収納するといった動作を行う。その過程で受皿１２は図３に示すように、調理庫１０の開口部１１付近のサイドレール１３を上規制とし、調理庫１０底面の開口部近傍に設けたスペーサー１６を押し付けながら斜め下方に傾いた状態で出し入れし摺動する。
【００２６】
上記構成により、受皿１２の底面は摩擦係数の小さく滑り性が良好なフッ素樹脂からなるスペーサー１６の上を摺動し、ホーロー加工された調理庫１０底面を直接接触することが無いため、摺動抵抗が大幅に軽減され、受皿を出し入れする際にガタガタする、滑りが悪いといった違和感が無くなるものである。また、長期の使用によってスペーサー１６が磨耗してしまった場合においては、スペーサー１６の次に高い突起部１５で受皿１２を受けることとなる。この場合すでに調理物から発生する油が調理庫１０内面になじんでいるため、突起部１５の表面も新品当初よりも滑り性が向上しており、受皿１２の摺動性が損なわれることが無い。したがって、突起部１５はスペーサー１６の磨耗時におけるバックアップの効果を有するものである。
【００２７】
また、スペーサー１６は調理庫１０底面の開口部１１近傍に設けられており、突起部１２はアンダーレール１４からスペーサー１６に向かって緩やかに高くなる傾斜面１７を有している。受皿１２収納時はアンダーレール１４上に受皿１２が乗った状態であり、受皿１２の底面端部１９は突起部１５よりも後方に位置しているため、受皿１２は突起部１５やスペーサー１６に乗り上げない安定した状態を保てる。一方、受皿１２を収納状態から引き出す場合は、受皿１２の底面端部１９がスペーサー１６に乗り上げる前に突起部１５に設けた傾斜面１７により引き上げられるため、底面端部１９がスペーサー１６に乗り上げる際の衝撃が緩和される。上記構成により、本実施の形態は受皿１２を引き出す瞬間の摺動性を向上させることができ、一層受皿１２の滑りのよい加熱調理器を提供することができるものである。
【００２８】
また、図３に示す様にスペーサー１６の断面形状は受皿１２との当接部１８近傍を頂点とし、摺動方向に略円弧を描いた形状となっており、収納された受皿１２を引き出す際に受皿１２の底面端部１９がスペーサー１６に乗り上げる瞬間の衝撃を、スペーサー１６自体の表面で緩和することができるため、一層受皿１２の滑りのよい加熱調理器を提供することができるものである。
【００２９】
また、スペーサー１６の材料はフッ素樹脂にグラファイトを充填したものとなっているため、フッ素樹脂の有する滑り性を損なうことなく、グラファイトにより耐磨耗性が向上しており、長期間使用しても受皿１２の摺動性を十分に保つことのできる加熱調理器を提供することができるものである。
【産業上の利用可能性】
【００３０】
以上のように、本発明にかかる加熱調理器は、受皿の摺動特性を向上させたものであるため、例えば調理機器のみならず、食器洗い機や、システムキッチン等、引き出し機構を持った機器における、引き出し時の摺動性向上の用途にも適用できる。
【図面の簡単な説明】
【００３１】
【図１】本発明の実施の形態における加熱調理器の外観図
【図２】本発明の実施の形態における加熱調理器のロースター部を形成する調理庫の斜視図
【図３】本発明の実施の形態における加熱調理器のロースター部の受皿引出し時の縦断面図
【図４】本発明の実施の形態における加熱調理器のロースター部の受皿引出し時の縦断面図
【符号の説明】
【００３２】
１  本体
１０  調理庫
１１  開口部
１２  受皿
１５  突起部
１６  スペーサー
１７  傾斜面
１８  当接部
１９  底面端部
【図１】
2005164187.tif 000003
【図２】
2005164187.tif 000004
【図３】
2005164187.tif 000005
【図４】
2005164187.tif 000006